(57)【要約】      （修正有） 【課題】取り外したホッチキス針を楽に回収することができるとともに、綴じたホッチキス針の取り外し作業を従来と同様に行なうことができ、磁石で回収したホッチキス針を楽に磁石より取り外して除去することができる、既存のホッチキスよりも容易に改良することができる、低コストで製造が可能なホッチキスを提供する。【解決手段】綴じたホッチキス針を取り外すリムーバを支持台に形成したホッチキスにおいて、ホッチキス針２を収納するマガジン７の後部底面で、前記リムーバ３と対応する部位に取り外したホッチキス針２を吸着させる磁石１７を取付けてホッチキスを構成している。【選択図】図３
0003163881.tif 000002
【実用新案登録請求の範囲】
【請求項１】
綴じたホッチキス針を取り外すリムーバを支持台に形成したホッチキスにおいて、ホッチキス針を収納するマガジンの後部底面で、前記リムーバと対応する部位に取り外したホッチキス針を吸着させる磁石を取付けたことを特徴とするホッチキス。
【請求項２】
磁石は支持台の開閉が可能で、かつ支持台の開放状態で押圧把手の下面より外方へ突出するように取付けられていることを特徴とする請求項1記載のホッチキス。
【考案の詳細な説明】
【技術分野】
【０００１】
本考案は綴じたホッチキス針を取り外すリムーバを支持台に形成したホッチキスに関する。
【背景技術】
【０００２】
リムーバの付いたホッチキスは綴じたホッチキス針を取り外すのは容易に行なうことができるが、取り外したホッチキス針が散乱してしまい、回収するのに手間がかかるとともに、回収時に回収ホッチキス針で怪我をする場合があった。
【０００３】
このような欠点を解消するために、リムーバに磁石を固定したり、押圧把手の後部を後方に突出させた磁石を取付けるキャップを設けることが考えられているが、いずれも綴じたホッチキス針の取り外し作業のじゃまになったり、磁石に付着した取り外したホッチキス針の除去作業が大変であるとともに、コスト高になるという欠点があった。
【先行技術文献】
【特許文献】
【０００４】
【特許文献１】実用新案登録番号第３００７８５７号公報
【特許文献２】実開平３−３６７８０号公報
【考案の概要】
【考案が解決しようとする課題】
【０００５】
本考案は以上のような従来の欠点に鑑み、取り外したホッチキス針を楽に回収することができるとともに、綴じたホッチキス針の取り外し作業を従来と同様に行なうことができ、磁石で回収したホッチキス針を楽に磁石より取り外して除去することができる、既存のホッチキスよりも容易に改良することができる、低コストで製造が可能なホッチキスを提供することを目的としている。
【０００６】
本考案の前記ならびにそのほかの目的と新規な特徴は次の説明を添付図面と照らし合わせて読むと、より完全に明らかになるであろう。
【０００７】
ただし、図面はもっぱら解説のためのものであって、本考案の技術的範囲を限定するものではない。
【課題を解決するための手段】
【０００８】
上記目的を達成するために、本考案は綴じたホッチキス針を取り外すリムーバを支持台に形成したホッチキスにおいて、ホッチキス針を収納するマガジンの後部底面で、前記リムーバと対応する部位に取り外したホッチキス針を吸着させる磁石を取付けてホッチキスを構成している。
【考案の効果】
【０００９】
以上の説明から明らかなように、本考案にあっては次に列挙する効果が得られる。
（１）請求項1により、リムーバで綴じたホッチキス針を磁石にじゃまされることなく取り外すことができ、外したホッチキス針を磁石に吸着させることができる。
したがって、ホッチキス針の取り外しが楽にでき、かつ取り外したホッチキス針を磁石に吸着させて、散乱するのを阻止することができる。
（２）前記（１）により、磁石をマガジンの後部底面に取付けるので、容易に取付けることができるとともに、既存のホッチキスにも容易に取付けることができる。
したがって、製造が容易で、安価に製造することができる。
（３）前記（１) により、支持台を開放するとマガジンの後部底面が外方に位置するため、該部に取付けた磁石で取り外したホッチキス針を容易に吸着回収することができるとともに、磁石に吸着された取り外したホッチキス針を簡単に指でつまんで除去することができる。
（４）請求項２も前記（１）〜（３）と同様な効果が得られるとともに、より確実に磁石に取り外したホッチキス針を付着させたり、取り外して除去することができる。
【図面の簡単な説明】
【００１０】
【図１】本考案を実施するための第１の形態を示す側面図。
【図２】本考案を実施するための第１の形態を示す正面図。
【図３】本考案を実施するための第１の形態を示す断面図。
【図４】本考案を実施するための第１の形態を示す支持台を開放した状態の側面図。
【図５】本考案を実施するための第１の形態を示す支持台を開放した状態の底面図。
【図６】本考案を実施するための第１の形態を示す綴じたホッチキス針を取り外す場合の説明図。
【図７】本考案を実施するための第１の形態を示す取り外したホッチキス針の回収や磁石より除去する場合の説明図。
【図８】本考案を実施するための第２の形態の側面図。
【図９】本考案を実施するための第２の形態の断面図。
【図１０】本考案を実施するための第２の形態の支持台を開放した状態の説明図。
【図１１】本考案を実施するための第３の形態の側面図。
【図１２】本考案を実施するための第３の形態の断面図。
【図１３】本考案を実施するための第３の形態の支持台を開放した状態の説明図。
【図１４】本考案を実施するための第３の形態の磁石を着脱可能に取付ける状態の説明図。
【考案を実施するための形態】
【００１１】
以下、図面に示す本考案を実施するための形態により、本考案を詳細に説明する。
【００１２】
図１ないし図７に示す本考案を実施するための第１の形態において、１は本考案のホッチキスで、このホッチキス１は後端部に綴じたホッチキス針２を取り外すリムーバ３が形成された支持台４と、この支持台４の後端部より上方へ突出形成された支持脚５、５に枢支ピン６で枢支されたホッチキス針２を収納するマガジン７および押圧把手８と、このマガジン７を常時上方へ押し圧する、該マガジン７の後部寄りの部位と前記支持台４との間に介装されたマガジン付勢スプリング９と、前記押圧把手８に設けられた前記マガジン７に収納されたハッチキス針２を押し圧する押し圧板１０と、この押し圧板１０を、常時ホッチキス針２を押し圧できるように支持する付勢スプリング１１と係合孔１２と係止片１３とからなる押し圧支持手段１４と、前記マガジン７の後部底面に前記支持台４が開放可能で、かつリムーバ３で外されたホッチキス針２を吸着できるように取付けられた、該マガジン７に接着固定された支持部材１５、この支持部材１５に接着固定された磁石本体１７とからなる磁石１７とで構成されている。
【００１３】
上記構成のホッチキス１は、従来と同様に支持台４の針曲げ部４ａに綴じる書類等をセットし、押圧把手８を支持台４方向へ押し圧することにより、押し圧板１０がマガジン７の先端部のホッチキス針２を針曲げ部４ａへ押し圧して、ホッチキス針２は綴じる書類等を通過して、先端部が針曲げ部４ａで曲げられ、書類等を綴じることができる。
綴じたホッチキス針２を取り外す場合も、従来と同様にリムーバ３の先端部を綴じたホッチキス針２へ挿入し、上方へ持ち上げることにより外すことができ、かつ外れたホッチキス針２を磁石１７に吸着させることができる。
【００１４】
また、磁石１７に吸着しないでテーブル上に飛散した外されたホッチキス針２は、該部位に磁石１７部分を位置させることにより、磁石１７の磁力で磁石１７に吸着させることができる。
【００１５】
磁石１７に吸着した外されたホッチキス針２は、図７に示すように支持台４を開放することにより、マガジン７に固定された磁石１７が表に出てくるため、楽に磁石１７に吸着された外されたホッチキス針２を、指先で楽につまんで除去することができる。
【００１６】
[考案を実施するための異なる形態]
次に、図８ないし図１４に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１７】
図８ないし図１０に示す本考案を実施するための第２の形態において、前記本考案を実施するための第１の形態と主に異なる点は、押圧把手８にマガジン７を着脱可能にした係止する型式にした点で、このように構成されたホッチキス１Ａにしても前記本考案を実施するための第１の形態と同様な作用効果が得られる。
【００１８】
図１１ないし図１４に示す本考案を実施するための第３の形態において、前記本考案を実施するための第１の形態と主に異なる点は、ホッチキス針２を収納するマガジン７の後部底面に吸着固定あるいは接着剤を用いて固定した板状の磁石１７Ａを取付けた点で、このように構成したホッチキス１Ｂにしても、前記本考案を実施するための第１の形態と同様な作用効果が得られる。
【産業上の利用可能性】
【００１９】
本考案はホッチキス針を取り外すリムーバを支持台に形成したホッチキスを製造する産業で利用される。
【符号の説明】
【００２０】
１、１Ａ、１Ｂ：ホッチキス、  ２：ホッチキス針、
３：リムーバ、      ４：支持台、
５：支持脚、        ６：枢支ピン、
７：マガジン、      ８：押圧把手、
９：マガジン付勢スプリング、  １０：押し圧板、
１１：付勢スプリング、    １２：係合孔、
１３：係止片、      １４：押し圧板支持手段、
１５：支持部材、      １６：磁石本体、
１７、１７Ａ：磁石。
【図１】
0003163881.tif 000003
【図２】
0003163881.tif 000004
【図３】
0003163881.tif 000005
【図４】
0003163881.tif 000006
【図５】
0003163881.tif 000007
【図６】
0003163881.tif 000008
【図７】
0003163881.tif 000009
【図８】
0003163881.tif 000010
【図９】
0003163881.tif 000011
【図１０】
0003163881.tif 000012
【図１１】
0003163881.tif 000013
【図１２】
0003163881.tif 000014
【図１３】
0003163881.tif 000015
【図１４】
0003163881.tif 000016